(57)【要約】【課題】室内機から吹き出した調和空気を室内への必要風量に調整することを目的とする。【解決手段】屋外に設置された室外機１と、建物の天井裏８に設置され冷媒配管３を介して室外機１と接続される室内機２と、室内機２とダクト５により連結されて空調された空気が送られる風量分配装置９と、室内機２が供給する空調された空気が複数の居室７ａ、７ｂ、７ｃ、７ｄに給気されるように風量分配装置９とダクトにより連結されて前記複数の居室に設けられる複数の給気口１０とを備え、室内機２からの空気を給気口１０へ分配するように風量分配装置９に設けられた複数の吹出口１３ａ、１３ｂ、１３ｃ、１３ｄから吹き出される空気の風量を、室内機２からの命令により調整して給気口１０へ供給する構成とする。【選択図】図１
2005188884.tif 000002
【特許請求の範囲】
【請求項１】
室外機と冷媒配管を介して接続されて室内の空調を行う室内機と、この室内機が供給する空調された空気が複数の室内に給気されるように前記複数の室内に設けられる複数の給気口との間にダクトを介して設けられ、前記室内機により空調された空気を前記各給気口へ分配する複数の吹出口を備えた風量分配装置であって、前記吹出口から吹き出される空気の風量を、前記室内機からの命令によりその吹出し開口面積を調整して可変させることを特徴とする風量分配装置。
【請求項２】
室外機と冷媒配管を介して接続されて室内の空調を行う室内機と、この室内機が供給する空調された空気が複数の室内に給気されるように前記室内に設けられる複数の給気口との間にダクトを介して設けられ、前記室内機により空調された空気を前記各給気口へ分配する複数の吹出口を備えた風量分配装置であって、前記吹出口から吹き出される空気の風量を、前記室内機の運転モードに基づいてその吹出し開口面積を調整して可変させることを特徴とする風量分配装置。
【請求項３】
室内機からの空気を給気口へ分配するように前記風量分配装置に設けられた複数の吹出口にその吹き出し開口面積を調整する風量調整板を設けたことを特徴とする請求項１または２に記載の風量分配装置。
【請求項４】
屋外に設置された室外機と、建物の天井裏に設置され冷媒配管を介して前記室外機と接続される室内の空調を行う室内機と、この室内機とダクトにより連結されて空調された空気が送られる風量分配装置と、前記室内機が供給する空調された空気が複数の室内に給気されるように前記風量分配装置とダクトにより連結されて前記複数の室内に設けられる複数の給気口とを備え、前記室内機からの空気を前記給気口へ分配するように前記風量分配装置に設けられた複数の吹出口から吹き出される空気の風量を、前記室内機からの命令により調整して前記給気口へ供給することを特徴とする空気調和システム。
【請求項５】
屋外に設置された室外機と、建物の天井裏に設置され冷媒配管を介して前記室外機と接続される室内の空調を行う室内機と、この室内機とダクトにより連結されて空調された空気が送られる風量分配装置と、前記室内機が供給する空調された空気が複数の室内に給気されるように前記風量分配装置とダクトにより連結されて前記複数の室内に設けられる複数の給気口とを備え、前記室内機からの空気を前記給気口へ分配するように前記風量分配装置に設けられた複数の吹出口から吹き出される空気の風量を、前記室内機の運転モードに基づいて調整し前記給気口へ供給することを特徴とする空気調和システム。
【請求項６】
風量分配装置の内部に温度センサーを設け、前記温度センサーの検知結果に基づいて前記風量分配装置に設けられた複数の吹出口から吹き出される空気の風量を調整することを特徴とする請求項１、２、または３に記載の風量分配装置。
【請求項７】
建物の室内温度を検知する温度センサーを風量分配装置と通信させるように設け、前記温度センサーの検知結果に基づいて前記風量分配装置に設けられた複数の吹出口から吹き出される空気の風量を調整することを特徴とする請求項１、２、または３に記載の風量分配装置。
【請求項８】
建物の各室の室内温度を検知する温度センサーを風量分配装置と通信させるように設け、前記温度センサーの検知結果に基づいて前記風量分配装置に設けられた複数の吹出口から吹き出される空気の風量を調整することを特徴とする請求項４または５に記載の空気調和システム。
【請求項９】
室内機とダクトに接続されて空調された空気が送りこまれる複数の風量分配装置を設け、前記風量分配装置の吸込口と別の風量分配装置の吹出口とを連通させたことを特徴とする請求項４、５、または８に記載の空気調和システム。
【発明の詳細な説明】
【技術分野】
【０００１】
本発明は、空気調和機などによって作られた空気をダクトを用いて各居室に搬送する際の風量を調節するための風量分配装置およびこの風量分配装置を用いた空気調和システムに関するものである。
【背景技術】
【０００２】
従来、この種の空気調和システムの構成としては、室内機で作られた空調空気を住宅の天井裏に配設されたダクトにより、天井面や床面から各室内に吹き出し空調するものが知られている（例えば、特許文献１参照）。
【０００３】
この空気調和システムは、内部に熱交換器を有し屋外と連通して外気と室内空気を熱交換する熱交換ユニットと、この熱交換ユニットに接続されて給気ファンにより外気をダクトを介して各室内に送り込み、ダクトを介して室内と連通し排気ファンにより室内空気を取り込み、前記熱交換ユニットに送り込むファンコイルユニットとを設け、前記ダクトは建物内の１階の天井面および２階の床面に開口された通気口に連通されていた。
【０００４】
また、他の空気調和システムには、住宅内部に太いダクトを通し、前記太いダクトが接続される熱交換気ユニットから送られる空調された空気は前記太いダクトから延びる小ダクト内に設けられた居室の各吹出口に風量調節するためのダンパによって、室内への吹き出し風量を調整するものが知られている（例えば、特許文献２参照）。
【特許文献１】特開昭６３−１８００２６号公報（図２参照）
【特許文献２】特開昭６１−１９１８２３号公報
【発明の開示】
【発明が解決しようとする課題】
【０００５】
このような従来の空気調和システムは、室内機から吹出された空調空気をダクトにより各居室に搬送し、各居室を空気調和するが、、住宅の間取りにおける室内機の設置場所によっては、各居室までのダクト長が長かったり、短い場合が生じたり、また、住宅の柱、梁などで、ダクトを通す場所の制限などにより、ダクトの本数を少なくしたり、ダクト径を小さくしたりして居室までもっていっているため、ダクト系の圧力損失の増大となり必要風量が得られないという課題があった。さらに、居室の大きさ、日射による負荷、来客などで人が集まった場合などの急激な負荷に応じた必要風量が得られない、負荷に応じた各室温の調節ができないという課題があった。
【０００６】
また、家の中心を通る太いダクト工事が必要となり、室温を調整するための居室の吹出口に設けたダンパの開度で風量調節する際に、ダンパ開度によって風切り音が居室に聞こえるという問題があった。
【０００７】
本発明は、このような従来の課題を解決するものであり、ダクト設計及びダクト工事後の風量確認の際に、室内機から吹き出した調和空気を風量分配装置で整流化し、風量分配装置で室内への必要風量に応じた開度に調整することができ、居室の負荷に応じた風量を供給することのできる風量分配装置およびこれを用いた空気調和システムを提供することを目的としている。
【０００８】
また、室内機から発生する機械音、ファンの風きり音を風量分配装置内で音の波形を変えることでき、直接居室に不快な騒音が届かず、居室の低騒音化を図ることのできる風量分配装置を提供することを目的としている。
【課題を解決するための手段】
【０００９】
本発明の風量分配装置は、上記目的を達成するために、室外機と冷媒配管を介して接続されて室内の空調を行う室内機と、この室内機が供給する空調された空気が複数の室内に給気されるように前記複数の室内に設けられる複数の給気口との間にダクトを介して設けられ、前記室内機により空調された空気を前記各給気口へ分配する複数の吹出口を備えた風量分配装置であって、前記吹出口から吹き出される空気の風量を、前記室内機からの命令によりその吹出し開口面積を調整して可変させるものである。
【００１０】
この手段により、ダクト設計及びダクト工事後の風量確認の際に、室内機から吹き出した調和空気を風量分配装置で整流化し、風量分配装置で室内への必要風量に応じた開度に調整することができる風量分配装置が得られる。
【００１１】
また、本発明の風量分配装置は、室外機と冷媒配管を介して接続されて室内の空調を行う室内機と、この室内機が供給する空調された空気が複数の室内に給気されるように前記室内に設けられる複数の給気口との間にダクトを介して設けられ、前記室内機により空調された空気を前記各給気口へ分配する複数の吹出口を備えた風量分配装置であって、前記吹出口から吹き出される空気の風量を、前記室内機の運転モードに基づいてその吹出し開口面積を調整して可変させるものである。
【００１２】
この手段により、居室の空調負荷に応じた風量を供給することができる風量分配装置が得られる。
【００１３】
また、本発明の風量分配装置は、室内機からの空気を前記給気口へ分配するように前記風量分配装置に設けられた複数の吹出口にその吹き出し開口面積を調整する風量調整板を設けたものである。
【００１４】
この手段により、居室の低騒音化を図ることのできる空気調和機の風量分配装置が得られる。
【００１５】
また、本発明の空気調和システムは、屋外に設置された室外機と、建物の天井裏に設置され冷媒配管を介して前記室外機と接続される室内の空調を行う室内機と、この室内機とダクトにより連結されて空調された空気が送られる風量分配装置と、前記室内機が供給する空調された空気が複数の室内に給気されるように前記風量分配装置とダクトにより連結されて前記複数の室内に設けられる複数の給気口とを備え、前記室内機からの空気を前記給気口へ分配するように前記風量分配装置に設けられた複数の吹出口から吹き出される空気の風量を、前記室内機からの命令により調整して前記給気口へ供給するものである。
【００１６】
この手段により、ダクト設計及びダクト工事後の風量確認の際に、室内機から吹き出した調和空気を風量分配装置で整流化し、風量分配装置で室内への必要風量に応じた開度に調整することができる空気調和システムが得られる。
【００１７】
また、本発明の空気調和システムは、屋外に設置された室外機と、建物の天井裏に設置され冷媒配管を介して前記室外機と接続される室内の空調を行う室内機と、この室内機とダクトにより連結されて空調された空気が送られる風量分配装置と、前記室内機が供給する空調された空気が複数の室内に給気されるように前記風量分配装置とダクトにより連結されて前記複数の室内に設けられる複数の給気口とを備え、前記室内機からの空気を前記給気口へ分配するように前記風量分配装置に設けられた複数の吹出口から吹き出される空気の風量を、前記室内機の運転モードに基づいて調整し前記給気口へ供給するものである。
【００１８】
この手段により、居室の空調負荷に応じた風量を供給することができる空気調和システムが得られる。
【００１９】
また、本発明の風量分配装置は、風量分配装置の内部に温度センサーを設け、前記温度センサーの検知結果に基づいて前記風量分配装置に設けられた複数の吹出口から吹き出される空気の風量を調整するものである。
【００２０】
この手段により、室内機から風量分配装置に流入する調和空気の温度を検知し、冷房モード、あるいは暖房モードであることの判断から季節が判るため、供給風量を調節して室温を適温にすることができる風量分配装置が得られる。
【００２１】
また、本発明の風量分配装置は、建物の室内温度を検知する温度センサーを風量分配装置と通信させるように設け、前記温度センサーの検知結果に基づいて前記風量分配装置に設けられた複数の吹出口から吹き出される空気の風量を調整するものである。
【００２２】
この手段により、居室の温度を適温に調節するように供給風量を調整することができる風量分配装置が得られる。
【００２３】
また、本発明の空気調和システムは、建物の各室の室内温度を検知する温度センサーを風量分配装置と通信させるように設け、前記温度センサーの検知結果に基づいて前記風量分配装置に設けられた複数の吹出口から吹き出される空気の風量を調整するものである。
【００２４】
この手段により、各居室の温度を検知して供給風量を調整することで、各居室を必要とされる温度に近づけることができる空気調和システムが得られる。
【００２５】
また、本発明の空気調和システムは、室内機とダクトに接続されて空調された空気が送りこまれる複数の風量分配装置を設け、前記風量分配装置の吸込口と別の風量分配装置の吹出口とを連通させたものである。
【００２６】
この手段により、来客などで急激な空調負荷が生じた場合、負荷が必要でないゾーンから、風量をバイパスさせ、必要な場所に風量を提供し、空調負荷に応じた各室温の調節が良好に行える空気調和システムが得られる。
【発明の効果】
【００２７】
本発明によれば、室内への必要風量に応じた開度に調整することができる風量分配装置が得られる。
【００２８】
また、居室の空調負荷に応じた風量を供給することができる空気調和システムが得られる。
【発明を実施するための最良の形態】
【００２９】
本発明の請求項１記載の発明は、室外機と冷媒配管を介して接続されて室内の空調を行う室内機と、この室内機が供給する空調された空気が複数の室内に給気されるように前記複数の室内に設けられる複数の給気口との間にダクトを介して設けられ、前記室内機により空調された空気を前記各給気口へ分配する複数の吹出口を備えた風量分配装置であって、前記吹出口から吹き出される空気の風量を、前記室内機からの命令によりその吹出し開口面積を調整して可変させることを特徴とする風量分配装置であり、室内機からの命令により居室ごとに分配する風量を調整できるので、ダクトの圧力損失による風量低下を防止し、負荷に応じた必要風量をえることができるという作用を有する。
【００３０】
また、請求項２記載の発明は、室外機と冷媒配管を介して接続されて室内の空調を行う室内機と、この室内機が供給する空調された空気が複数の室内に給気されるように前記室内に設けられる複数の給気口との間にダクトを介して設けられ、前記室内機により空調された空気を前記各給気口へ分配する複数の吹出口を備えた風量分配装置であって、前記吹出口から吹き出される空気の風量を、前記室内機の運転モードに基づいてその吹出し開口面積を調整して可変させることを特徴とする風量分配装置であり、室内機の運転モードに基づいた風量を居室に分配するので、居室の空調負荷に応じた風量を供給することができるという作用を有する。
【００３１】
また、請求項３記載の発明は、請求項１または２に記載の風量分配装置に、室内機からの空気を前記給気口へ分配するように前記風量分配装置に設けられた複数の吹出口にその吹き出し開口面積を調整する風量調整板を設けたものであり、風量調整板を風量分配装置に設けているので、吹出し開口面積を絞り込むことによる音の発生を居室側に聞こえにくくして低騒音化を図ることができるという作用を有する。
【００３２】
また、請求項４記載の発明は、屋外に設置された室外機と、建物の天井裏に設置され冷媒配管を介して前記室外機と接続される室内の空調を行う室内機と、この室内機とダクトにより連結されて空調された空気が送られる風量分配装置と、前記室内機が供給する空調された空気が複数の室内に給気されるように前記風量分配装置とダクトにより連結されて前記複数の室内に設けられる複数の給気口とを備え、前記室内機からの空気を前記給気口へ分配するように前記風量分配装置に設けられた複数の吹出口から吹き出される空気の風量を、前記室内機からの命令により調整して前記給気口へ供給することを特徴とする空気調和システムであり、ダクトの圧力損失による風量低下を防止し、負荷に応じた必要風量をえることができるという作用を有する。
【００３３】
また、請求項５記載の発明は、屋外に設置された室外機と、建物の天井裏に設置され冷媒配管を介して前記室外機と接続される室内の空調を行う室内機と、この室内機とダクトにより連結されて空調された空気が送られる風量分配装置と、前記室内機が供給する空調された空気が複数の室内に給気されるように前記風量分配装置とダクトにより連結されて前記複数の室内に設けられる複数の給気口とを備え、前記室内機からの空気を前記給気口へ分配するように前記風量分配装置に設けられた複数の吹出口から吹き出される空気の風量を、前記室内機の運転モードに基づいて調整し前記給気口へ供給することを特徴とする空気調和システムであり、室内機の運転モードに基づいた風量を居室に分配するので、居室の空調負荷に応じた風量を供給することができるという作用を有する。
【００３４】
また、請求項６記載の発明は、請求項１、２、または３に記載の風量分配装置に、風量分配装置の内部に温度センサーを設け、前記温度センサーの検知結果に基づいて前記風量分配装置に設けられた複数の吹出口から吹き出される空気の風量を調整するものであり、室内機から風量分配装置に流入する調和空気の温度を検知し、冷房モード、あるいは暖房モードであることの判断から季節を判定してそれに応じた風量を各居室に分配するので、供給風量を調節して室温を適温にすることができるという作用を有する。
【００３５】
また、請求項７記載の発明は、請求項１、２、または３に記載の風量分配装置に、建物の室内温度を検知する温度センサーを風量分配装置と通信させるように設け、前記温度センサーの検知結果に基づいて前記風量分配装置に設けられた複数の吹出口から吹き出される空気の風量を調整するものであり、風量分配装置が室内温度を把握して各居室に分配する風量を調整するので、居室に必要とされる適温に調節することができるという作用を有する。
【００３６】
また、請求項８記載の発明は、請求項４または５に記載の空気調和システムに、建物の各室の室内温度を検知する温度センサーを風量分配装置と通信させるように設け、前記温度センサーの検知結果に基づいて前記風量分配装置に設けられた複数の吹出口から吹き出される空気の風量を調整するものであり、風量分配装置が室内温度を把握して各居室に分配する風量を調整するので、各居室を必要とされる温度に近づけるように各居室の温度のバランスをとりながら適温に調節することができるという作用を有する。
【００３７】
また、請求項９記載の発明は、請求項４、５、または８に記載の空気調和システムに、室内機とダクトに接続されて空調された空気が送りこまれる複数の風量分配装置を設け、前記風量分配装置の吸込口と別の風量分配装置の吹出口とを連通させたものであり、来客などで急激な空調負荷が生じた場合、負荷が必要でないゾーンから、風量をバイパスさせ、必要な場所に風量を提供できるので、空調負荷に応じて各居室の温度調節を良好に行うことができるという作用を有する。
【００３８】
以下、本発明の実施の形態について図面を参照しながら説明する。
【００３９】
（実施の形態１）
本発明の空気調はシステムは、屋外に設置された室外機１と、建物の天井裏８に設置され冷媒配管３を介して室外機１と接続される室内機２と、室内機２とダクト５により連結されて空調された空気が送られる風量分配装置９と、室内機２が供給する空調された空気が複数の居室７ａ、７ｂ、７ｃ、７ｄに給気されるように風量分配装置９とダクトにより連結されて複数の居室７ａ、７ｂ、７ｃ、７ｄに設けられる複数の給気口１０とを備え、室内機２からの空気を各給気口１０へ分配するように風量分配装置９に設けられた複数の吹出口１３ａ、１３ｂ、１３ｃ、１３ｄから吹き出される空気の風量を、室内機２からの命令により調整して各給気口１０へ供給する構成とする。
【００４０】
図１に示すように、建物の天井裏８に設けられた室内機２は屋外に設置された室外機１と冷媒配管３で接続され、熱交換気ユニット４を介して屋外と連通している。室内機２は居室に供給される側に風量分配装置９とダクト５を介して接続され、風量分配装置９は各居室７ａ、７ｂ、７ｃ、７ｄに設けられた各給気口１０とダクト５で接続される。また、１階は天井裏８からパイプシャフト１１を通過させ、１階の天井裏を通したダクト５により居室７の給気口１０に接続されている。また、室内機２は居室７ａ、７ｂ、７ｃ、７ｄの温度を調整設定するリモコン６と接続されてその運転を制御されるものである。
【００４１】
図２および図３に示すように、風量分配装置９は室内機２から吹出調和空気の吸込口１２と複数の吹出口１３ａ、１３ｂ、１３ｃ、１３ｄを備える。吸込口１２、吹出口１３ａ、１３ｂ、１３ｃ、１３ｄにはダクトアダプタ１４を設け、室内機２と風量分配装置９はダクトアダプタ１４を用いてダクト５で接続される。吹出口１３ａ、１３ｂ、１３ｃ、１３ｄには、風量調整板１５を設け、風量調整板１５の上面にはつまみ１６、下面にはコの字形板１７を備え、風量調整板１５の上面とつまみ１６の間には仕切板１８を備える。仕切板１８には長穴が開口され、風量調整板１５はこの長穴とコの字形板１７の溝１９に沿って、つまみ１６によりスライド可能となる。つまみ１６と仕切板１８が接触する部分には目盛２０を設け、目盛２０は全閉状態を１、全開状態を１０として、１〜１０までの１０段階を示す目盛りが記載されている。また、つまみ１６はネジ型であり、ネジを締めれば、風量調整板１５が仕切板１８に固定され、ネジを緩めれば、自由に風量調整板１５が溝１９に沿ってスライドし、風量調整板１５にて吹出口１３ａ、１３ｂ、１３ｃ、１３ｄの開口面積の開度を変えることができる。また、各吹出口１３ａ、１３ｂ、１３ｃ、１３ｄそれぞれには風量調整板１５、つまみ１６、目盛２０などが備えられている。
【００４２】
上記構成において、居室７ａ、７ｂ、７ｃ、７ｄに設けたリモコン６にて設定温度が設定されると、室外機１、室内機２で調和空気を作りだし、室内機２から吹き出された調和空気はダクトを介して風量分配装置９の吸込口１２に流入する。吸込口１２に流入した調和空気は、あらかじめ住宅性能、住宅の大きさ、日射などの負荷計算によって算出した各居室７ａ、７ｂ、７ｃ、７ｄに必要能力から算出した各居室７ａ、７ｂ、７ｃ、７ｄの負荷に応じた風量を、室内機２からの命令を受けて、各居室と接続した吹出口１３ａ、１３ｂ、１３ｃ、１３ｄのそれぞれの風量調整板１５のつまみ１６を用いて調整する。
【００４３】
例えば、風量分配装置９の吹出口１３ａがダクトで居室７ａと接続、吹出口１３ｂがダクトで居室７ｂと接続、吹出口１３ｃがダクトで居室７ｃと接続、吹出口１３ｄがダクト５で居室７ｄと接続された場合について説明する。表１に示すように、各居室の負荷の大きさを、居室７ａの負荷は中、居室７ｂの負荷は大、居室７ｃの負荷は小、居室７ｄの負荷は中の大、中、小の３段階とした場合、室内機２からの命令により指示された風量調節板１５の調整を、風量分配装置９の各吹出口の目盛りが、吹出口１３ａは５、吹出口１３ｂは１０、吹出口１３ｃは３、吹出口１３ｄは５となるように設定すると負荷に応じた風量を得ることができる。
【００４４】
【表１】
2005188884.tif 000003
【００４５】
この発明によれば、室外機１と冷媒配管３を介して接続されて室内の空調を行う室内機２と、室内機２が供給する空調された空気が複数の居室７ａ、７ｂ、７ｃ、７ｄに給気されるように複数の居室７ａ、７ｂ、７ｃ、７ｄに設けられる複数の給気口１０との間にダクト５を介して設けられ、室内機２により空調された空気を各給気口１０へ分配する複数の吹出口１３ａ、１３ｂ、１３ｃ、１３ｄを備え、吹出口１３ａ、１３ｂ、１３ｃ、１３ｄから吹き出される空気の風量を、室内機２からの命令によりその吹出し開口面積を調整して可変させることにより、各居室７ａ、７ｂ、７ｃ、７ｄへの風量を自由に風量調節することができ、また、ダクト系の圧力損失による風量低下を防止し、負荷に応じた必要風量を得ることのできる風量分配装置９が得られる。また、住宅の間取りの設計変更、ダクト引回しでの各居室７ａ、７ｂ、７ｃ、７ｄの風量が負荷計算と合わなくなった場合でも、容易に各居室７ａ、７ｂ、７ｃ、７ｄの風量を変えることができる。
【００４６】
また、屋外に設置された室外機１と、建物の天井裏８に設置され冷媒配管３を介して室外機１と接続される室内機２と、室内機２とダクト５により連結されて空調された空気が送られる風量分配装置９と、室内機２が供給する空調された空気が複数の居室７ａ、７ｂ、７ｃ、７ｄに給気されるように風量分配装置９とダクトにより連結されて複数の居室７ａ、７ｂ、７ｃ、７ｄに設けられる複数の給気口１０とを備え、室内機２からの空気を給気口１０へ分配するように風量分配装置９に設けられた複数の吹出口１３ａ、１３ｂ、１３ｃ、１３ｄから吹き出される空気の風量を、室内機２からの命令により調整して給気口１０へ供給する空気調和システムを構成したので、ダクト設計及びダクト工事後の風量確認の際に、室内機から吹き出した調和空気を風量分配装置で整流化し、風量分配装置で室内への必要風量に応じた開度に調整することができる快適な居室環境を実現する空気調和システムが得られる。
【００４７】
また、室内機２からの空気を給気口１０へ分配するように風量分配装置９に設けられた複数の吹出口１３ａ、１３ｂ、１３ｃ、１３ｄにその吹き出し開口面積を調整する風量調整板１５を設けたことにより、風量調整板１５が天井面、床面などの居室側にないため、風量を絞った場合の風きり音が直接居室７ａ、７ｂ、７ｃ、７ｄに届かないので、低騒音の居室空間を提供することができる。
【００４８】
（実施の形態２）
図１および図４に示すように、本発明の空気調和システムは、屋外に設置された室外機１と、建物の天井裏８に設置され冷媒配管３を介して室外機１と接続される室内の空調を行う室内機２と、室内機２とダクトにより連結されて空調された空気が送られる風量分配装置９Ａと、室内機２が供給する空調された空気が複数の居室７ａ、７ｂ、７ｃ、７ｄに給気されるように風量分配装置９Ａとダクトにより連結されて複数の居室７ａ、７ｂ、７ｃ、７ｄに設けられる複数の給気口１０とを備え、室内機２からの空気を給気口１０へ分配するように風量分配装置９Ａに設けられた複数の吹出口１３ａ、１３ｂ、１３ｃ、１３ｄから吹き出される空気の風量を、室内機２の運転モードに基づいて調整し給気口１０へ供給する構成とする。
【００４９】
また、本実施の形態が実施の形態１と異なる構成は、風量調整板１５とつまみ１６で吹出開口面積を変えていたものを、モーター２１で駆動する構成に変えたことにある。
【００５０】
風量分配装置９Ａは、各吹出口１３ａ、１３ｂ、１３ｃ、１３ｄの仕切板に取り付けたモーター２１、風量調整板１５、および風量分配電装部２４を備える。モーター２１の先端は歯車２２が取り付けてあり、風量調整板１５の端面に設けたノコギリ状の歯２３と接触している。また、風量分配電装部２４の内部にはマイコン２５を搭載してある。モーター２１と風量分配電装部２４はリード線にて接続されている。また、室内機電装部２６と風量分配電装部２４は通信線２７にて接続されている。
【００５１】
初期設定として、あらかじめ住宅性能、住宅の大きさ、日射などの負荷計算によって算出した各居室の夏場、冬場の必要能力から風量を決めた吹出口の開口面積の開度を風量分配装置９Ａ内部のマイコン２５に覚えこませ、風量分配装置９Ａから各室へ分配供給される風量制御に使用するものである。
【００５２】
例えば、夏場、冬場では住宅の北側、南側では、日射の影響により、居室の負荷も変わってくる。そこで、風量分配装置９Ａの吹出口の開口面積を夏場の冷房運転モード設定を例にとり説明する。各居室の負荷の大きさを、居室７ａの負荷は中、居室７ｂの負荷は大、居室７ｃの負荷は小、居室７ｄの負荷は中の大、中、小の３段階とした場合、風量分配装置９Ａの吹出口の目盛を、吹出口１３ａは５、吹出口１３ｂは１０、吹出口１３ｃは３、吹出口１３ｄは５の冷房運転モードで設定する。
【００５３】
冬場の暖房運転モード設定は、冬場は居室７ａの負荷は大、居室７ｂの負荷は小、居室７ｃの負荷は中、居室７ｄの負荷は小となり、居室の負荷が変わってくるため、冬場の暖房運転時には、居室の負荷に見合った風量が必要となる。そこで、室内機から出される暖房運転モードの信号を信号線でつながれた風量分配装置９Ａの風量分配電装部２４のマイコン２５が認識すると、各吹出口の仕切板に取り付けたモーター２１が駆動し、モーター２１の歯車２２が回り、風量調整板１５を動かし、各吹出口の開口面積を暖房運転モードの吹出口１３ａは１０、吹出口１３ｂは３、吹出口１３ｃは５、吹出口１３ｄは３にする。夏場の冷房運転モードは前記説明の各吹出口の開口面積になるようにモーター２１が駆動する。
【００５４】
この発明によれば、屋外に設置された室外機１と、建物の天井裏８に設置され冷媒配管３を介して室外機１と接続される室内機２と、室内機２とダクト５により連結されて空調された空気が送られる風量分配装置９と、室内機２が供給する空調された空気が複数の居室７ａ、７ｂ、７ｃ、７ｄに給気されるように風量分配装置９とダクトにより連結されて複数の居室７ａ、７ｂ、７ｃ、７ｄに設けられる複数の給気口１０とを備え、室内機２からの空気を給気口１０へ分配するように風量分配装置９に設けられた複数の吹出口１３ａ、１３ｂ、１３ｃ、１３ｄから吹き出される空気の風量を、室内機２からの命令により調整して給気口１０へ供給する空気調和システムを構成したので、季節に対応した空調負荷に応じた風量を居室に搬送することができる。。
【００５５】
また、屋外に設置された室外機１と、建物の天井裏８に設置され冷媒配管３を介して室外機１と接続される室内の空調を行う室内機２と、室内機２とダクトにより連結されて空調された空気が送られる風量分配装置９Ａと、室内機２が供給する空調された空気が複数の居室７ａ、７ｂ、７ｃ、７ｄに給気されるように風量分配装置９Ａとダクトにより連結されて複数の居室７ａ、７ｂ、７ｃ、７ｄに設けられる複数の給気口１０とを備え、室内機２からの空気を給気口１０へ分配するように風量分配装置９Ａに設けられた複数の吹出口１３ａ、１３ｂ、１３ｃ、１３ｄから吹き出される空気の風量を、室内機２の運転モードに基づいて調整し給気口１０へ供給する構成とする空気調和システムであるので、居室に設けたリモコンで冷房運転モード、暖房運転モードを選択するだけで、季節の負荷に応じた風量を居室に搬送でき、負荷に応じた居室の空気調和が得られる。
【００５６】
また、各吹出口から吹き出される空気の風量を、室内機２の運転モードに基づいてその吹出し開口面積を調整して可変させる風量分配装置９Ａであるので、季節に対応した空調負荷に応じた風量に容易に調整できる。
【００５７】
（実施の形態３）
図１および図５に示すように、本発明の空気調和システムは、風量分配装置９Ｂの内部に温度センサー２８を設け、温度センサー２８の検知結果に基づいて風量分配装置９Ｂに設けられた複数の吹出口１３ａ、１３ｂ、１３ｃ、１３ｄから吹き出される空気の風量を調整する構成である。風量分配装置９Ｂの吸込口１２に設けられた温度センサー２８は風量分配電装部２４と接続されている。同一符号の他の構成については、実施の形態１および２と同様であり、その説明は省略する。
【００５８】
風量分配電装部２４の内部に設けたマイコン２５は温度検知範囲を冷房では７℃〜３０℃、暖房では３０℃〜７０℃と認識してあり、室内機２から吹き出された調和空気はダクトを介して風量分配装置９Ｂの吸込口１２に流入すると、風量分配装置９Ｂの温度センサー２８が温度を検知し、冷房運転モードか暖房運転モードかその検知温度によって判別する。
【００５９】
表２に示すように、例えば、温度センサー２８の検知温度が７℃〜３０℃の範囲であれば、冷房運転モードと認識し、モーター２１が駆動し風量調整板１５を動かし、夏場の冷房運転モードの吹出開口面積に設定する。また、温度センサー２８が３０℃〜７０℃を検知すると、暖房モードと認識し、モーター２１が駆動し風量調整板１５を冬場の吹出開口面積に設定する。
【００６０】
【表２】
2005188884.tif 000004
【００６１】
この発明によれば、、風量分配装置９Ｂの内部に温度センサー２８を設け、温度センサー２８の検知結果に基づいて風量分配装置９Ｂに設けられた複数の吹出口から吹き出される空気の風量を調整するので、室内機２から風量分配装置９Ｂに流入する空調空気の温度を検知により、冷房モードか暖房モードかを認識して季節を判断するため、空調負荷に応じた最適な風量を各居室に搬送することができる。
【００６２】
（実施の形態４）
図６および図４に示すように、本発明の空気調和システムは、建物の各居室７ａ、７ｂ、７ｃ、７ｄの室内温度を検知する外部温度センサー２９を風量分配装置９と通信させるように設け、外部温度センサー２９の検知結果に基づいて風量分配装置９に設けられた複数の吹出口１３ａ、１３ｂ、１３ｃ、１３ｄから吹き出される空気の風量を調整する構成である。
【００６３】
なお、同一符号の他の構成については、実施の形態１および２と同様であり、その説明は省略する。
【００６４】
また、居室の中心部に設けた外部温度センサー２９は、風量分配電装部２４と通信線で接続され、室内機電装部２６と風量分配電装部２４は通信線２７にて接続されている。
【００６５】
上記構成において、風量分配装置９の内部に設けたマイコンは、室内機２の運転が冷房運転モードか、暖房運転もモードかを判別する。さらに、居室の中心部に設けた外部温度センサー２９によって、居室の温度を認識する。
【００６６】
例えば、冷房運転モードで居室に設けたリモコンの設定温度を２７℃に設定し、居室７ｂの温度が下がらない場合について説明する。
【００６７】
室内機電装部２６から冷房運転モードの信号を通信線２４によって風量分配電装部２４のマイコンに認識させる。そこで風量分配装置９の各吹出口のモーター２１が駆動し、風量調整板１５を動かし、夏場の冷房運転モードの吹出開口面積になる。
【００６８】
表３に示すように、居室７ｂの中心部に設けた外部温度センサー２９の温度が２７℃に到達しないときは、風量分配装置９の吹出口１３ｂに設けたモーター２１が駆動し、風量調整板１５によって開口面積５から１０に移動する。また、負荷を必要としない居室７ａとダクトで接続された吹出口１３ａは５から３と風量調整板１５を絞り、居室７ｂへの風量を増すことができる。これにより、居室７ｂの温度を検知する外部温度センサー２９が温度データを風量分配装置９に通信させることで、居室７ｂの負荷に応じた風量を居室７ｂへ搬送でき、より早く居室の温度を設定温度に到達させることができる。
【００６９】
次に、図示していないが、暖房運転モードで居室に設けたリモコンの設定温度を２０℃に設定し、居室７ｃの温度が上がらない場合について説明する。
【００７０】
室内機電装部２６から暖房運転モードの信号を通信線２４によって風量分配電装部の内部マイコンに認識させる。そこで風量分配装置の各吹出口のモーター２１が駆動し、風量調整板１５を動かし、冬場の暖房運転モードの吹出開口面積になる。
【００７１】
表３に示すように、居室７ｃの中心部に設けた外部温度センサー２９の温度が２０℃に到達しないときは、風量分配装置の吹出口１３ｃに設けたモーター２１が駆動し、風量調整板１５によって開口面積５から１０に移動する。また、負荷が必要としない部屋７ｄとダクトで接続された吹出口１３ｄは５から３と風量調整板１５を絞り、居室７ｄへの風量を増すことができる。
【００７２】
これにより、居室７ｃの温度を検知する外部温度センサー２９が温度データを風量分配装置９に通信させることで、居室７ｃの負荷に応じた風量を居室７ｃへ搬送でき、より早く居室の温度を設定温度に到達することができる。
【００７３】
【表３】
2005188884.tif 000005
【００７４】
この発明によれば、風量分配装置は、建物の室内温度を検知する外部温度センサー２９を風量分配装置９と通信させるように設け、外部温度センサー２９の検知結果に基づいて風量分配装置９に設けられた複数の吹出口から吹き出される空気の風量を調整することにより、風量分配装置が室内温度を把握して各居室に分配する風量を調整するので、居室の温度を適温に調節することができる。
【００７５】
また、本発明の空気調和システムは、建物の各室の室内温度を検知する外部温度センサー２９を風量分配装置９と通信させるように設け、外部温度センサー２９の検知結果に基づいて風量分配装置９に設けられた複数の吹出口から吹き出される空気の風量を調整することにより、風量分配装置が室内温度を把握して各居室に分配する風量を調整するので、各居室の温度をそのバランスをとりながら適温に調節することができる。
【００７６】
（実施の形態５）
図７に示すように、本発明の空気調和システムは、室内機２とダクトに接続されて空調された空気が送りこまれる複数の風量分配装置９Ｃ、９Ｄを設け、風量分配装置９Ｃの吸込口１２ｃと別の風量分配装置９Ｄの吹出口１３ｄとを連通させた構成とする。なお、同一符号の他の構成については、実施の形態１、２、および４と同様であり、その説明は省略する。また、風量分配電装部に風量分配装置同士を通信させる通信ポート３０を設け風量分配装置９Ｃと風量分配装置９Ｄは通信線で接続される。
【００７７】
室内機２の吹出形体が室内機吹出口ゾーンＡ３１と、室内機吹出口ゾーンＢ３２とに分かれている場合、室内機吹出口ゾーンＡ３１は風量分配装置９Ｃに接続され、室内機吹出口ゾーンＢ３２は風量分配装置９Ｄに接続される。室内機吹出口ゾーンＢ３２は２階の居室７ａ、居室７ｂに、さらに、室内機吹出口ゾーンＡ３１は１階の居室７ｃ、居室７ｄの天井吹出口にダクトでそれぞれ接続されている。また、風量分配装置９Ｄの吹出口１３ｄは風量分配装置９Ｃの吸込口１２ｃにダクトで接続される。また、外部温度センサー２９を居室７ｄに設置し通信線にて風量分配装置９Ｃの電装部と接続される。
【００７８】
上記構成において、例えば、通常は風量分配装置９Ｄの吹出口１３ｄの開度が０の全閉であるが、空調負荷が大きいために１階に設けた外部温度センサー２９の検知温度がリモコンの設定温度に到達しないときは、風量分配装置９Ｄの吹出口１３ｄが０から１０に変わり全開となり、風量分配装置９Ｃの吸込口１２ｃに調和空気が流入する。そうすることで、２階の風量を１階に回すことができ、１階の負荷に見合った風量を１階の居室７ｄに供給できてより早く居室の温度を設定温度に到達させることができる。
【００７９】
この発明によれば、室内機２とダクトに接続されて空調された空気が送りこまれる複数の風量分配装置９Ｃ、９Ｄを設け、風量分配装置９Ｃの吸込口１２ｃと別の風量分配装置９Ｄの吹出口１３ｄとを連通させた構成の空気調和システムであるので、来客などで急激な空調負荷が生じた場合、負荷が必要でないゾーンから、風量をバイパスさせ、必要な場所に必要な風量を供給して、空調負荷に応じて各居室の温度調節を良好に行うことができる。
【産業上の利用可能性】
【００８０】
本発明の空気調和システムは、複数の室内を有する住宅を快適に空気調和するだけでなく、適切な風量分配を行うことで、工場、ビルディング、公会堂、体育館などの広い空間においても適用できる有用なシステムである。
【図面の簡単な説明】
【００８１】
【図１】本発明の実施の形態１の空気調和システムを建物に設置した状態を示す断面図
【図２】同空気調和システムの風量分配装置の構成を示す平面図
【図３】同空気調和システムの風量分配装置の構成を示す斜視図
【図４】本発明の実施の形態２の空気調和システムの風量分配装置の構成を示す斜視図
【図５】本発明の実施の形態３の空気調和システム風量分配装置の構成を示す斜視図
【図６】本発明の実施の形態４の空気調和システムの構成を示す断面図
【図７】本発明の実施の形態５の空気調和システムの構成を示す断面図
【符号の説明】
【００８２】
１      室外機
２      室内機
３      冷媒配管
５      ダクト
７ａ、７ｂ、７ｃ、７ｄ  居室
９      風量分配装置
９Ａ    風量分配装置
９Ｂ    風量分配装置
９Ｃ    風量分配装置
９Ｄ    風量分配装置
１０    給気口
１２ｃ  吸込口
１３ａ、１３ｂ、１３ｃ、１３ｄ  吹出口
１５    風量調整板
２８    温度センサー
２９    外部温度センサー
【図１】
2005188884.tif 000006
【図２】
2005188884.tif 000007
【図３】
2005188884.tif 000008
【図４】
2005188884.tif 000009
【図５】
2005188884.tif 000010
【図６】
2005188884.tif 000011
【図７】
2005188884.tif 000012